(57)【要約】【課題】小型化及び放熱性の向上を図ることのできる電子装置を提供する。【解決手段】電源基板１５と、電源基板１５を内装する筐体１８と、筐体１８に取り付けられる導電性の底板１３とを有する電子装置１において、底板１３に形成される吸気口１３ａ、１３ｂから筐体１８内に流入した空気が通過できる開口部１４ａと、筐体１８内に配されるハーネス１６をガイドして立設されるガイド部１４ｂ、１４ｃ、１４ｄとを有する絶縁シート１４を電源基板１５と底板１３との間に配設した。【選択図】      図３
2004241940.tif 000002
【特許請求の範囲】
【請求項１】
電源基板と、前記電源基板を内装する筐体と、前記筐体に取り付けられる導電性の底板とを有する電子装置内で、前記電源基板と前記底板との間に配設されて両者を絶縁する絶縁シートにおいて、前記底板に形成される吸気口から前記筐体内に流入した空気が通過できる開口部と、前記筐体内に配されるハーネスをガイドして立設されるガイド部とを備えたことを特徴とする絶縁シート。
【請求項２】
前記ガイド部は前記絶縁シートから連続的に形成されていることを特徴とする請求項１に記載の絶縁シート。
【請求項３】
前記ガイド部は前記開口部を形成する切り起こし部から成ることを特徴とする請求項２に記載の絶縁シート。
【請求項４】
前記ガイド部を複数設け、前記開口部に沿って第１ガイド部を形成するとともに、端部の折曲により第２ガイド部を形成したことを特徴とする請求項１に記載の絶縁シート。
【請求項５】
電源基板と、前記電源基板を内装する筐体と、前記筐体に取り付けられる導電性の底板とを有する電子装置において、前記底板に形成される吸気口から前記筐体内に流入した空気が通過できる開口部と、前記筐体内に配されるハーネスをガイドして立設されるガイド部とを有する絶縁シートを前記電源基板と前記底板との間に配設したことを特徴とする電子装置。
【請求項６】
前記ガイド部は前記絶縁シートから連続的に形成されていることことを特徴とする請求項５に記載の電子装置。
【請求項７】
前記ガイド部は前記開口部を形成する切り起こし部から成ることを特徴とする請求項６に記載の電子装置。
【請求項８】
前記ガイド部を複数設け、前記開口部に沿って第１ガイド部を形成するとともに、前記絶縁シートの端部を折曲して第２ガイド部を形成したことを特徴とする請求項５に記載の電子装置。
【請求項９】
前記筐体は前記ハーネスを収容する通路を有し、前記通路に前記ガイド部が挿入されることを特徴とする請求項５〜請求項８のいずれかに記載の電子装置。
【請求項１０】
前記ガイド部を前記通路の壁面に沿って形成したことを特徴とする請求項９に記載の電子装置。
【請求項１１】
第１隔壁で仕切って前記電源基板を配置する電源部と、第２隔壁で仕切って他の部材を配置する隔離室とを有し、前記通路の壁面が第１、第２隔壁により形成されることを特徴とする請求項９または請求項１０に記載の電子装置。
【発明の詳細な説明】
【０００１】
【発明の属する技術分野】
本発明は、電源回路を有する電源基板と電源基板を覆う導電性の底板との間を絶縁する絶縁シート及びそれを用いた電子装置に関する。
【０００２】
【従来の技術】
電源回路等を有する電子装置にはＵＬ規格等の安全規格が規定されており、電源基板を覆う導電性の底板と電源基板との間には所定の距離を設ける必要がある。しかしながら、電子装置を小型化するために底板と電源基板とが近設され、該距離を設けることができない場合がある。
【０００３】
特許文献１には電子回路の回路基板と液晶パネルとの間に絶縁シートを介設して安全性を確保する構成が開示されている。同様に、導電性の底板と電源基板との間に絶縁シートを介設することによって安全性を確保して電子装置の小型化を図ることが可能である。
【０００４】
【特許文献１】
特開２００２−１５２６３０（第５頁〜第７頁、第５図）
【０００５】
【発明が解決しようとする課題】
しかしながら、近年電子装置の小型化のニーズが高く、電子装置が更に小型化されると電子装置内の通気性が低下して電源回路の放熱が充分に行われなくなる問題があった。また、モジュール間を接続するハーネスが電源基板に隣接して配されると、電源回路等の１次側と２次側の配線との接触を防止する措置を安全規格上設ける必要がある。このため、接触を回避するスペースを小型化により設けることができず１次側と２次側とを遮蔽するための部品点数が増加する問題もあった。
【０００６】
本発明は、電子装置の放熱性を向上できるとともに部品点数を削減できる絶縁シート及びそれを用いた電子装置を提供することを目的とする。
【０００７】
【課題を解決するための手段】
上記目的を達成するために本発明は、電源基板と、前記電源基板を内装する筐体と、前記筐体に取り付けられる導電性の底板とを有する電子装置内で、前記電源基板と前記底板との間に配設されて両者を絶縁する絶縁シートにおいて、前記底板に形成される吸気口から前記筐体内に流入した空気が通過できる開口部と、前記筐体内に配されるハーネスをガイドして立設されるガイド部とを備えたことを特徴としている。この構成によると、開口部を介して冷却用空気が電源回路に供給されるとともに、ガイド部によりハーネスが底板と電源基板との間に入り込むことを防止できる。
【０００８】
また本発明は、上記構成の絶縁シートにおいて、前記ガイド部は前記絶縁シートから連続的に形成されていることを特徴としている。この構成によると、ガイド部は絶縁シートと一体に設けられ、ガイド部と絶縁シートとが一部材から成る。
【０００９】
また本発明は、上記構成の絶縁シートにおいて、前記ガイド部は前記開口部を形成する切り起こし部から成ることを特徴としている。
【００１０】
また本発明は、上記構成の絶縁シートにおいて、前記ガイド部を複数設け、前記開口部に沿って第１ガイド部を形成するとともに、端部の折曲により第２ガイド部を形成したことを特徴としている。この構成によると、第１、第２ガイド部によってハーネスの両側の脱落が防止される。
【００１１】
また本発明は、電源基板と、前記電源基板を内装する筐体と、前記筐体に取り付けられる導電性の底板とを有する電子装置において、前記底板に形成される吸気口から前記筐体内に流入した空気が通過できる開口部と、前記筐体内に配されるハーネスをガイドして立設されるガイド部とを有する絶縁シートを前記電源基板と前記底板との間に配設したことを特徴としている。
【００１２】
また本発明は、上記構成の電子装置において、前記ガイド部は前記絶縁シートから連続的に形成されていることを特徴としている。この構成によると、ガイド部は絶縁シートと一体に設けられ、ガイド部と絶縁シートとが一部材から成る。
【００１３】
また本発明は、上記構成の電子装置において、前記ガイド部は前記開口部を形成する切り起こし部から成ることを特徴としている。
【００１４】
また本発明は、上記構成の電子装置において、前記ガイド部を複数設け、前記開口部に沿って第１ガイド部を形成するとともに、前記絶縁シートの端部を折曲して第２ガイド部を形成したことを特徴としている。
【００１５】
また本発明は、上記構成の電子装置において、前記筐体は前記ハーネスを収容する通路を有し、前記通路に前記ガイド部が挿入されることを特徴としている。この構成によると、通路に挿入されたガイド部によって絶縁シートが位置決めされるとともに通路からのハーネスの脱落が防止される。
【００１６】
また本発明は、上記構成の電子装置において、前記ガイド部を前記通路の壁面に沿って形成したことを特徴としている。この構成によると、絶縁シートが容易に位置決めされる。
【００１７】
また本発明は、上記構成の電子装置において、第１隔壁で仕切って前記電源基板を配置する電源部と、第２隔壁で仕切って他の部材を配置する隔離室とを有し、前記通路の壁面が第１、第２隔壁により形成されることを特徴としている。この構成によると、通路から脱落したハーネスの電源部や隔離室への侵入がガイド部によって防止される。
【００１８】
【発明の実施の形態】
以下に本発明の実施形態を図面を参照して説明する。図１は一実施形態の電子装置である多機能装置を示す斜視図である。この多機能装置１は、ファクシミリ機能に加え、電話機能、コピー機能を有し、更にパーソナルコンピュータ等との接続によるスキャナ機能、プリンタ機能を有する複合機になっている。
【００１９】
多機能装置１の本体部５はインクカートリッジ（不図示）が内装される。後述するインクジェット記録ヘッド４８（図３参照）を用いてこのインクカートリッジから供給されるインクを搬送される記録紙に吐出することで印字が行われる。本体部５の背後には本体部５内に記録紙を給紙する給紙部２が設けられ、本体部５の前部には印字された記録紙を排紙する排紙部６が設けられている。また、本体部５の側部には送受話器７が配され、電話による送受話が可能になっている。
【００２０】
本体部５の上方には上部カバー８の開成により原稿を設置して原稿の画像イメージを読み取る読取部３が配置される。読取部３の前部には電話番号入力等のユーザ操作を行う操作パネル４が設けられている。読取部３は本体部５に対して回動して開閉可能になっており、読取部３を開くことによってジャム時の用紙除去やインクカートリッジの交換を行うことができるようになっている。
【００２１】
図２は読取部３を開いた状態を示している。読取部３の枢支軸側の両側部にはアーチ状のリンク１０が延設されている。リンク１０は本体部５と係合して読取部３の開成位置を保持するストッパになっている。リンク１０には本体部５に配されたストッパスプリング９が連結されている。ストッパスプリング９は読取部３を開く方向に付勢するようになっている。尚、リンク１０により読取部３は図２に示す状態でその位置を保持できる構成となっている。
【００２２】
読取部３の前部には前後に回動して図１中の後方にバネ１７ｂで付勢されるロックレバー１７が取り付けられている。ロックレバー１７は左右の爪部１７ａ、バネ１７ｂ、軸部１７ｃから構成されている。爪部１７ａが本体部５に設けられた係止部（不図示）に係合することにより読取部３と本体部５とがロックされる。本体部５にはホッパー１２が回動可能に設けられている。ホッパー１２はホッパースプリング１１によって読取部３が開く方向に付勢されている。
【００２３】
読取部３をストッパスプリング９の付勢力に抗して閉じると、読取部３の下面に設けられたガイド部３ａにホッパー１２が当接し、更に閉じていくとホッパー１２が本体部５に押し込まれる方向に回動する。読取部３がロック位置に到達すると、バネ１７ｂで付勢されたロックレバー１７がロック方向に回動して爪部１７ａと係止部（不図示）とが係合する。これにより、読取部３の閉成状態がロックされる。
【００２４】
従って、読取部３は自重による回転モーメントが小さい範囲はストッパスプリング９のみにより開く方向に付勢され、自重による回転モーメントが大きい範囲はストッパスプリング９及びホッパースプリング１１により開く方向に付勢される。
【００２５】
これにより、読取部３を閉じる際に手指を挟む等の危険や不安を回避してスムーズに読取部３を回動させることができる。また、読取部３を付勢する手段を回動半径方向に分散して配置することでヒンジ部の構成を簡素化することができる。その結果、多機能装置１の小型化を図ることができるようになっている。
【００２６】
また、読取部３を開く際にはロックレバー１７を手指で操作して爪部１７ａと係止部（不図示）との係合を解除することによりロックが解除される。ロックが解除されると読取部３はホッパースプリング１１の付勢力によりホッパー１２によって押し上げられた状態で保持される。
【００２７】
その後、ユーザーは読取部３を手動で図２に示すように開くことができる。尚、ストッパスプリング９は読取部３の閉成時に最も変形が大きくなるため付勢力も大きくなる。これにより、読取部３が勢いよく閉成方向へ移動するのを制限することができる。
【００２８】
図３、図４は多機能装置１の側面断面図及び裏面から見た斜視図を示している。読取部３は原稿台ガラス４５、読取ユニット４４、ガイド軸４３、スライダ４６を有している。原稿台ガラス４５には原稿が載置され、原稿台ガラス４５の下方には、図３の紙面に垂直な方向に移動可能な読取ユニット４４が配されている。読取ユニット４４はガイド軸４３によってガイドされ、スライダ４６によって原稿台ガラス４５に沿って移動できるようになっている。
【００２９】
給紙部２は給紙ローラ５２、用紙受け面２１、用紙ガイド２０を有している。給紙ローラ５２は図示しない駆動源によって駆動され、記録紙を１枚ずつ送り出す。用紙受け面２１は１枚ずつに分離される前の記録紙を保持する。用紙ガイド２０は１枚ずつに分離された記録紙をガイドする。
【００３０】
本体部５には給紙部２から送られた記録紙に記録するための記録ユニット５０が設けられるとともに、多機能装置１を制御する制御基板等が設けられる。記録ユニット５０はキャリッジガイド軸４９、キャリッジガイド４７、インクジェット記録ヘッド４８、搬送ローラ対５１、排出ローラ対４６を有している。
【００３１】
キャリッジガイド軸４９及びキャリッジガイド４７は記録ユニット５０を図３の紙面に垂直な方向に案内する。インクジェット記録ヘッド４８はインクジェットカートリッジ（不図示）によりインクを記録紙に噴射して印字する。搬送ローラ対５１は給紙部２から送り込まれた記録紙を印字位置に搬送する。排出ローラ対４６は印字の終了した記録紙を排紙部６に排出する。また、記録ユニット５０の下方には記録に使用されなかった廃インクを吸収保持するための廃液フォーム３２ａが配置されている。
【００３２】
本体部５は安価な可燃性の樹脂成形品から成る筐体１８により外形が形成され、底板１３により底面を覆われている。図７は底板１３を示す斜視図である。底板１３は鉄板やアルミニウム板から成り、筐体１８の下方から空気を採り入れることができる吸気口１３ａ、１３ｂ、１３ｃ、１３ｄが形成されている。
【００３３】
筐体１８は隔壁により区画された複数の隔離室を有している。本体部５の後方下部の隔離室４０内には電源回路を実装する電源基板１５を備えた電源ボックス２２が取り付けられている。電源ボックス２２は難燃性樹脂で周囲が覆われており、側壁２２ａ、２２ｂ及び天井壁２２ｃには放熱用の多数の孔部２２ｄが形成されている。
【００３４】
隔離室４０は電源ボックス２２に対向する天井壁４０ｂに開口部４０ａが形成されている。これにより、天井壁４０ｂを形成する可燃性樹脂が電源回路に近接されないため、例えばＵＬ規格等の安全規格を満たすとともに多機能装置１の薄型化を図ることができる。
【００３５】
また、用紙ガイド２０及び用紙受け面２１は電源ボックス２２の上方を覆うように配置されている。これにより、例え給紙部２から異物が侵入したとしてもその異物が開口部４０ａを介して電源回路と接触することがないので、事故を防止できるようになっている。尚、開口部４０ａの周囲の一部と電源ボックス２２との間にはＰＳ（ポリスチレン）等の難燃性樹脂から成るフィルム４２が配されている。これにより、可燃性樹脂から成る天井壁４０ｂと電源回路とを遮蔽して安全規格が満たされている。
【００３６】
電源ボックス２２の前方には、本体部５内の各モジュールを接続するハーネス１６を配設した通路３３が電源ボックス２２の側壁２２ａと隔壁３１により形成されている。電源ボックス２２及び通路３３と底板１３との間には絶縁シート１４が配されている。これにより、電源基板１５と導電性の底板１３とを近設して多機能装置１の薄型化が図られている。
【００３７】
図８は絶縁シート１４を示す斜視図である。絶縁シート１４は厚さ０．５ｍｍのｍ−ＰＰＥ（変成ポリフェニレンエーテル）等の難燃性樹脂フィルムから成り、一部を切り起こすことにより多機能装置１の外部から流入した空気が通過可能な開口部１４ａが形成されている。そして、開口部１４ａの一辺に沿ってガイド部１４ｂ（第１ガイド部）が立設されている。即ち、ガイド部１４ｂは開口部１４ａの一辺から連続的に立設して形成されている。絶縁シート１４の周縁には、絶縁シート１４の端部を折曲したガイド部１４ｃ、１４ｄ（第２ガイド部）が立設されている。即ち、ガイド部１４ｃ、１４ｄは絶縁シート１４の端部から連続的に立設して形成されている。
【００３８】
本実施形態では各ガイド部１４ｂ〜１４ｄが開口部１４ａの一辺または絶縁シート１４の端部から連続的に、換言すれば一体的に立設して形成され、一部材から成っているが、この構成に限定されるものではない。例えば、各ガイド部１４ｂ〜１４ｄを絶縁シート１４とは別体とし、これらを開口部１４ａの一辺や絶縁シート１４の端部から立設するように固着してもよい。
【００３９】
図５は底板１３及び絶縁シート１４を取り外した状態を示す裏面図である。隔壁３１（図３参照）によって区画された通路３３を挟んで電源ボックス２２の前方には廃液フォーム３２ａを収容する廃液フォーム収容室３２の底壁が設けられている。電源ボックス２２の側方には通信制御する通信モジュール（不図示）が配置された通信ユニット３４が配される。多機能装置１の図中、中央よりもやや右寄りにはメイン基板５３が配置されている。
【００４０】
電源基板１５にはコモンモードチョークコイル３５が装着されており、通信モジュールにはトランス３６が装着されている。本多機能装置１においては装置の小型化、薄型化をより一層進めた結果、電源基板１５と通信モジュールとが隣設する構成となっている。このため、電源基板１５上のコモンモードチョークコイル３５と、通信モジュール上のトランス３６とが極力互いに離れるように配置されている。これにより、コモンモードチョークコイル３５により発生するノイズをトランス３６で拾うことによる通信時のノイズが低減されている。
【００４１】
図６は図５に示す状態に絶縁シート１４を取り付けた状態を示している。絶縁シート１４は電源基板１５及び通路３３を覆うように配置されている。絶縁シート１４のガイド部１４ｂ〜１４ｄ（図８参照）は、通路３３の壁面（２２ａ、３１、図３参照）に沿った形状に形成されているので、絶縁シート１４を多機能装置１の底面に載置する際にはガイド部１４ｂ〜１４ｄが通路３３に嵌合して絶縁シート１４が容易に位置決めされる。これにより、組立作業の効率化が図られる。
【００４２】
また、図３、図５に示すように通路３３に配されるハーネス１６は、絶縁シート１４が多機能装置１の底面に載置されるとガイド部１４ｂ〜１４ｄにガイドされる。このため、通路３３の壁面となる隔壁３１及び電源ボックス２２の側壁２２ａと絶縁シート１４との隙間から、裏面から見て廃液フォーム収容室３２の底壁上及び電源ボックス２２上にハーネス１６が侵入することを防止することができる。
【００４３】
即ち、絶縁シート１４を多機能装置１に載置する場合には、図６に示すように多機能装置１を天地反転した状態で絶縁シート１４が載置される。この時、ガイド部１４ｂ〜１４ｄは前述したように通路３３の壁面（２２ａ、３１）に嵌合するので、通路３３内のハーネス１６が絶縁シート１４よりも上方に飛び出すことが防止される。従って、後に底板１３が多機能装置１の裏面に装着されるときもハーネス１６が電源基板１５、廃液フォーム収容室３２の底壁、更に通信ユニット３４の上方に飛び出すことがないので、底板１３を容易に装着することができる。
【００４４】
従って、隔壁３１や側壁２２ａと底板１３との間にハーネス１６を挟まないように容易に組み立てることができる。また、１次側の電源基板２２と２次側のハーネス１６との接触を防止して両者を近接することができ、多機能装置１の小型化を図ることができる。
【００４５】
また、図３に示すように、筐体１８内には底板１３の吸気孔１３ａ、１３ｂ（図７参照）を介して矢印Ａ１、Ａ２のように空気が流入できる。吸気孔１３ａから流入した空気は電源ボックス２２の側壁２２ｂ及び天井壁２２ｃの孔部２２ｄを介して矢印Ｂ１、Ｂ２のように流通し、給紙部２の開口部（不図示）から流出する。
【００４６】
また、吸気孔１３ｂから流入した空気は底板１３と絶縁シート１４との間を流通して開口部１４ａから通路３３内に流入する。そして、電源ボックス２２の側壁２２ａ及び天井壁２２ｃの孔部２２ｄを介して矢印Ｂ１、Ｂ２のように流通し、給紙部２の開口部（不図示）から流出する。
【００４７】
これにより、電源ボックス２２の後方だけでなく、前方からも空気を採り入れて電源回路を冷却することができる。従って、絶縁シート１４の配設によって多機能装置１の薄型化を図ることができるとともに、電源回路の放熱性の向上を図ることができる。
【００４８】
尚、電源ボックス２２の前方の吸気孔１３ｂ（図４、図７参照）は通路３３と対向しない位置に形成されている。これにより、吸気孔１３ｂを介してハーネス１６に手指や異物が接触することによる事故を防止することができるようになっている。
【００４９】
本実施形態において、絶縁シートを有する多機能装置１について説明しているが、電源基板と導電性の底板との間に介設される絶縁シートを有する他の電子装置であってもよい。
【００５０】
【発明の効果】
本発明によると、導電性の底板に形成される吸気口から筐体内に流入した空気が通過できる開口部と、筐体内に配されるハーネスをガイドして立設されるガイド部とを備えたので、電源回路と底板とを近設して電子装置の薄型化を図ることができるとともに、開口部を介して電源回路に冷却用空気を導くことができる。従って、電源回路の周囲の空間を削減しても充分放熱させることができ、電子装置の小型化を図ることができる。
【００５１】
また、ガイド部によってハーネスの脱落による筐体と底板との間の挟み込みを防止して組み立て作業を容易にすることができるとともに、１次側の電源基板と２次側のハーネスとの接触を防止して両者を近接することができ電子装置の更に小型化を図ることができる。
【００５２】
また本発明によると、ガイド部を切り起こし等により開口部に沿って形成するので、開口部及びガイド部を容易に形成できる。更に、開口部を形成した際に樹脂製の廃材を出さないので環境汚染も防止することができる。
【００５３】
本発明によると、ハーネスを収容する通路にガイド部を挿入するので絶縁シートを容易に位置決めできる行うことができる。また、ガイド部を通路の壁面に沿って形成することによって絶縁シートの位置決めを更に容易に行うことができる。
【００５４】
また本発明によると、通路の壁面が電源基板を有する電源部及び他の部材を有する隔離室を仕切る第１、第２隔壁から成るので、ガイド部によって電源部または隔離室へのハーネスの侵入を容易に防止することができる。
【図面の簡単な説明】
【図１】は、本発明の実施形態の多機能装置を示す斜視図である。
【図２】は、本発明の実施形態の多機能装置の読取部を開いた状態を示す斜視図である。
【図３】は、本発明の実施形態の多機能装置を示す側面断面図である。
【図４】は、本発明の実施形態の多機能装置を裏面から見た斜視図である。
【図５】は、本発明の実施形態の多機能装置の底板及び絶縁シートを取り外した状態を示す裏面図である。
【図６】は、本発明の実施形態の多機能装置の底板を取り外した状態を示す裏面図である。
【図７】は、本発明の実施形態の多機能装置の底板と、絶縁シートとの位置関係を示す斜視図である。
【図８】は、本発明の実施形態の多機能装置の絶縁シートを示す斜視図である。
【符号の説明】
１    多機能装置
２    給紙部
３    読取部
４    操作パネル
５    本体部
６    排紙部
７    送受話器
９    ストッパースプリング
１０    ストッパーリンク
１１    ホッパースプリング
１２    ホッパー
１３    底板
１３ａ〜１３ｄ  吸気孔
１４    絶縁シート
１４ａ  開口部
１４ｂ〜１４ｄ  ガイド部
１５    電源基板
１６    ハーネス
１７    ロックレバー
２０    用紙ガイド
２１    用紙受け面
２２    電源ボックス
３１    隔壁
３２    廃液フォーム収容室
３３    通路
３４    通信ユニット
４０    隔離室
【図１】
2004241940.tif 000003
【図２】
2004241940.tif 000004
【図３】
2004241940.tif 000005
【図４】
2004241940.tif 000006
【図５】
2004241940.tif 000007
【図６】
2004241940.tif 000008
【図７】
2004241940.tif 000009
【図８】
2004241940.tif 000010